(57)【特許請求の範囲】
【請求項１】
天面壁と該天面壁の周縁から垂下するスカート壁とを具備する合成樹脂製容器蓋において、該スカート壁には、外面から切断刃を作用せしめて貫通切断することによって形成された切り込みが、周方向に間隔をおいて複数個配設されており、該切断刃は、平面図において略三角形乃至台形状であって前縁、先端縁及び後縁を有し且つ平坦な片面、該片面と平行に延在する平坦な他面、及び該前縁、先端縁及び後縁の各々において該片面の周縁から該他面に向かって内側に傾斜して延びる傾斜面を有する、ことを特徴とする合成樹脂製容器蓋。
【請求項２】
該片面に対して該傾斜面が１５乃至２５度の傾斜角度をなす切断刃によって該切り込みが形成されている、請求項１記載の合成樹脂製容器蓋。
【請求項３】
天面壁と該天面壁の周縁から垂下するスカート壁とを具備する合成樹脂製容器蓋において、該スカート壁には、外面から切断刃を作用せしめて貫通切断することによって形成された切り込みが、周方向に間隔をおいて複数個配設されており、該切断刃は、平面図において略三角形乃至台形状であって前縁、先端縁及び後縁を有し且つ平坦な片面、該片面と平行に延在する平坦な他面、該片面の周縁から該他面に向かって外方に傾斜して延びる片側傾斜面、及び該他面の周縁から該片面に向かって外方に傾斜して延びる他側傾斜面を有し、該前縁、該先端縁及び該後縁は該片側傾斜面と該他側傾斜面との交差縁によって規定されている、ことを特徴とする合成樹脂製容器蓋。
【請求項４】
該片面に対して該片側傾斜面は５乃至１５度の傾斜角度をなし、該他面に対して該他側傾斜面は５乃至１５度の傾斜角度をなす、請求項３記載の合成樹脂製容器蓋。
【請求項５】
天面壁と該天面壁の周縁から垂下するスカート壁とを具備する合成樹脂製容器蓋の、該スカート壁に、周方向に間隔をおいて複数個の切り込みを形成する方法にして、平面図において略三角形乃至台形状であって前縁、先端縁及び後縁を有し、且つ平坦な片面、該片面と平行に延在する平坦な他面、及び該前縁、先端縁及び後縁の各々において該片面の周縁から該他面に向かって内側に傾斜して延びる傾斜面を有し且つ平坦な片面、該片面と平行に延在する平坦な他面、及び該前縁、先端縁及び後縁の各々において該片面の周縁から該他面に向かって内側に傾斜して延びる傾斜面を有する切断刃を該スカート壁の外面から作用せしめて貫通切断する、ことを特徴とする方法。
【請求項６】
該切断刃の該傾斜面は該片面に対して１５乃至２５度の傾斜角度をなす、請求項５記載の方法。
【請求項７】
天面壁と該天面壁の周縁から垂下するスカート壁とを具備する合成樹脂製容器蓋の、該スカート壁に、周方向に間隔をおいて複数個の切り込みを形成する方法にして、平面図において略三角形乃至台形状であって前縁、先端縁及び後縁を有し且つ平坦な片面、該片面と平行に延在する平坦な他面、該片面の周縁から該他面に向かって外方に傾斜して延びる片側傾斜面、及び該他面の周縁から該片面に向かって外方に傾斜して延びる他側傾斜面を有し、該前縁、該先端縁及び該後縁は該片側傾斜面と該他側傾斜面との交差縁によって規定されている切断刃を該スカート壁の外面から作用せしめて貫通切断する、ことを特徴とする方法。
【請求項８】
該片面に対して該片側傾斜面は５乃至１５度の傾斜角度をなし、該他面に対して該他側傾斜面は５乃至１５度の傾斜角度をなす切断刃によって該切り込みが形成されている、請求項７記載の方法。
【発明の詳細な説明】
【０００１】
【発明の属する技術分野】
本発明は、容器の口頸部に容器蓋を装着した後に容器の口頸部を洗浄するための液体を容器蓋に向けて散布する場合に使用される、合成樹脂製容器蓋及びその形成方法に関する。
【０００２】
【従来の技術】
当業者には周知の如く、容器内に充填される飲料が容器の口頸部に付着する傾向がある場合、容器の口頸部に容器蓋を所要とおりに装着した後に、容器蓋に向けて温水の如き洗浄液体を散布している。かような洗浄液体散布が適用される場合に使用される合成樹脂製容器蓋として、実公平４−５４１１９号公報には、天面壁とこの天面壁の周縁から垂下するスカート壁とを具備し、天面壁の周縁部とスカート壁の上部との少なくとも一方には、周方向に間隔をおいて複数個の孔が形成されている容器蓋が開示されている。複数個の孔は容器蓋を射出或いは圧縮成形する時に成形される。かような容器蓋を容器の口頸部に装着した後に、容器蓋に向けて洗浄液体を散布すると、散布された洗浄液体が複数個の孔を透過して容器の口頸部に至り、かくして容器の口頸部が洗浄される。
【０００３】
【発明が解決しようとする課題】
然るに、容器蓋を射出或いは圧縮成形する際に形成される複数個の孔を有する上記容器蓋には、複数個の孔に埃が堆積し或いは複数個の孔を通って埃が容器の口頸部に侵入する虞が少なくない、複数個の孔が視覚的に明確に認識され容器蓋の外観を損ねている、という問題を有する。
【０００４】
本発明は上記事実に鑑みてなされたものであり、その主たる技術的課題は、容器蓋に向けて散布された洗浄液体が透過して容器の口頸部に至ることは充分に許容するが、埃が堆積し或いは埃が透過して容器の口頸部に至ることは効果的に防止乃至抑制する、新規且つ改良された合成樹脂製容器蓋を提供することである。
【０００５】
本発明の他の技術的課題は、上記主たる技術的課題の達成に加えて、洗浄液体を透過せしめるための手段が視覚的に認識され難く、それ故に洗浄液体を透過せしめるための手段に起因して外観が損なわれることが回避されている、新規且つ改良された合成樹脂製容器蓋を提供することである。
【０００６】
本発明の更に他の技術的課題は、上記主たる技術的課題又は上記他の技術的課題を達成するために合成樹脂製容器蓋に切り込みを形成する方法を提供することである。
【０００７】
【課題を解決するための手段】
本発明者等は、鋭意研究及び実験の結果、特定形態の切断刃をスカート壁の外面から作用せしめて貫通切断して、スカート壁に周方向に間隔をおいて複数個の切り込みを形成することによって、上記技術的課題を達成することができることを見出した。
【０００８】
本発明によれば、上記技術的課題を達成する合成樹脂製容器蓋として、天面壁と該天面壁の周縁から垂下するスカート壁とを具備する合成樹脂製容器蓋において、該スカート壁には、外面から切断刃を作用せしめて貫通切断することによって形成された切り込みが、周方向に間隔をおいて複数個配設されており、該切断刃は、平面図において略三角形乃至台形状であって前縁、先端縁及び後縁を有し且つ平坦な片面、該片面と平行に延在する平坦な他面、及び該前縁、先端縁及び後縁の各々において該片面の周縁から該他面に向かって内側に傾斜して延びる傾斜面を有する、ことを特徴とする合成樹脂製容器蓋
更に、本発明によれば、上記技術的課題を達成する合成樹脂製容器蓋として、天面壁と該天面壁の周縁から垂下するスカート壁とを具備する合成樹脂製容器蓋において、該スカート壁には、外面から切断刃を作用せしめて貫通切断することによって形成された切り込みが、周方向に間隔をおいて複数個配設されており、該切断刃は、平面図において略三角形乃至台形状であって前縁、先端縁及び後縁を有し且つ平坦な片面、該片面と平行に延在する平坦な他面、該片面の周縁から該他面に向かって外方に傾斜して延びる片側傾斜面、及び該他面の周縁から該片面に向かって外方に傾斜して延びる他側傾斜面を有し、該前縁、該先端縁及び該後縁は該片側傾斜面と該他側傾斜面との交差縁によって規定されている、ことを特徴とする合成樹脂製容器蓋が提供される。
【０００９】
また、本発明によれば、上記技術的課題を達成する方法として、天面壁と該天面壁の周縁から垂下するスカート壁とを具備する合成樹脂製容器蓋の、該スカート壁に、周方向に間隔をおいて複数個の切り込みを形成する方法にして、平面図において略三角形乃至台形状であって前縁、先端縁及び後縁を有し、且つ平坦な片面、該片面と平行に延在する平坦な他面、及び該前縁、先端縁及び後縁の各々において該片面の周縁から該他面に向かって内側に傾斜して延びる傾斜面を有し且つ平坦な片面、該片面と平行に延在する平坦な他面、及び該前縁、先端縁及び後縁の各々において該片面の周縁から該他面に向かって内側に傾斜して延びる傾斜面を有する切断刃を該スカート壁の外面から作用せしめて貫通切断する、ことを特徴とする方法が提供される。
更に、本発明によれば、上記技術的課題を達成する方法として、天面壁と該天面壁の周縁から垂下するスカート壁とを具備する合成樹脂製容器蓋の、該スカート壁に、周方向に間隔をおいて複数個の切り込みを形成する方法にして、平面図において略三角形乃至台形状であって前縁、先端縁及び後縁を有し且つ平坦な片面、該片面と平行に延在する平坦な他面、該片面の周縁から該他面に向かって外方に傾斜して延びる片側傾斜面、及び該他面の周縁から該片面に向かって外方に傾斜して延びる他側傾斜面を有し、該前縁、該先端縁及び該後縁は該片側傾斜面と該他側傾斜面との交差縁によって規定されている切断刃を該スカート壁の外面から作用せしめて貫通切断する、ことを特徴とする方法が提供される。
【００１０】
該切断刃の該傾斜面は該片面に対して１５乃至２５度の傾斜角度をなすのが好都合である。また、該片面に対して該片側傾斜面は５乃至１５度の傾斜角度をなし、該他面に対して該他側傾斜面は５乃至１５度の傾斜角度をなすのが好適である。
【００１１】
【発明の実施の形態】
以下、添付図面を参照して、本発明の好適実施形態について更に詳細に説明する。
【００１２】
図１は、本発明に従って構成された合成樹脂製容器蓋の好適実施形態を図示している。全体を番号２で示す容器蓋は、ポリプロピレン又は硬質ポリエチレンの如き適宜の合成樹脂から所要形状に圧縮成形又は射出成形し、更に後述するとおりの加工を加えることによって好都合に形成することができる。かかる容器蓋２は、円形天面壁４とこの天面壁４の周縁から垂下する略円筒形状のスカート壁６とを具備している。スカート壁６には周方向破断ライン８が形成されており、スカート壁６は周方向破断ライン８よりも上方の主部１０と周方向破断ライン８よりも下方のタンパーエビデント裾部１２とに区画されている。
【００１３】
図示の実施形態における周方向破断ライン８は、周方向に間隔をおいて配設された複数個の橋絡部１４を含んでいる。複数個の橋絡部１４以外の領域においては、スカート壁６の主部１０とタンパーエビデント裾部１２とは切断することによって相互に分離されている。換言すれば、タンパーエビデント裾部１２は複数個の橋絡部１４を介してスカート壁６の主部１０に接続されている。複数個の橋絡部１４のうちの相互に隣接して位置する２個（図示していない）は他の橋絡部１４よりも断面積が大きい高強度橋絡部である（これらの高強度橋絡部は後述する軸線方向破断ライン４２の両側に位置する）。更に詳述すると、図１から理解される如く、スカート壁６の内周面には、周方向破断ライン８よりも幾分上方に位置する、下方を向いた環状肩面１５が形成されている。そして、かかる環状肩面１５から下方に延びる突条１６が周方向に間隔をおいて複数個形成されている。周方向破断ライン８は、スカート壁６をその外周面から、上記高強度橋絡部の領域を除いて、上記突条１６の全体又は一部のみを残して切断（図１においてはかかる切断を実線１８で示している）することによって形成される。上記高強度橋絡部は、それらの領域においては突条１６のみならずスカート壁６の主部も部分的に切断することなく残留せしめることによって形成することができる。周方向破断ライン８の好適形成様式については、本出願人の出願にかかる平成８年特許願第３３６１８８号の明細書及び図面及び平成９年特許願第１０２１９４号の明細書及び図面に詳細に説明されているので、かかる記載を引用して本明細書においては説明を省略する。
【００１４】
スカート壁６の主部１０の外周面には、その下端部近傍に、下方に向かって外径が漸次増大する円錐台形状部２０が形成されている。スカート壁６の主部１０の下端部（即ち円錐台形状部２０よりも下方の部分）及びこれに続くタンパーエビデント裾部１２の外周面も、下方に向かって外径が若干ではあるが漸次増大する円錐台形状にせしめられている。主部１０の外周面における円錐台形状部２０よりも上方の部分には、そこに掛けられる指の滑りを防止するための凹凸形状２４が形成されている。主部１０の内周面には雌螺条２６が形成されている。かかる雌螺条２６には、周方向に間隔をおいて軸線方向に延びる切欠２８が形成されている。切欠２８は容器の口頸部が開封される際の所謂通気路を構成する。主部１０の内周面には、更に、その上端部に環状突条３０が形成されている。そして、かかる環状突条３０と天面壁４の内面とによって規定される空間には、容器蓋２の本体とは別個に形成された密封ライナー３２が配設されている。かかる密封ライナー３２は、天面壁４の内面に軟化溶融状態の合成樹脂素材を供給し、この合成樹脂素材を押圧工具によって圧縮することによって好都合に形成することができる。密封ライナー３２のための合成樹脂素材は、軟質ポリエチレンの如き比較的軟質の合成樹脂であるのが好適である。
【００１５】
タンパーエビデント裾部１２の内周面上部（上記突条１６の下端よりも若干下方）には、下方を向いた環状肩面３４が形成されている。そして、かかる環状肩面３４よりも下方において、タンパーエビデント裾部１２の内周面には、周方向に等間隔をおいて複数個のフラップ片３６が形成されている。フラップ片３６の各々は、タンパーエビデント裾部１２の内周面に接続された基縁３８から、容器の口頸部に容器蓋２を装着する際の容器蓋２の閉回転方向、即ち図１において上方から見て時計方向、に対して反対方向に向かって傾斜して半径方向内方に突出せしめられている。フラップ片３６の各々の基縁３８自体も、容器蓋２の上記閉回転方向に対して反対方向に傾斜して下方に延びている。タンパーエビデント裾部１２の下端には、半径方向内側に向かって弧状に延出せしめられている薄肉カール４０が付設されている。かかる薄肉カール４０は、圧縮成形又は射出成形においては図１に二点鎖線で図示する如く実質上鉛直に下方に延出する形態に形成し、しかる後に適宜の形態の加熱カール工具（図示していない）を作用せしめて、図１に実線で示す如き形態にカールすることによって好都合に形成することができる。
【００１６】
タンパーエビデント裾部１２には、更に、軸線方向破断ライン４２が形成されている。この軸線方向破断ライン４２は、上述した２個の高強度橋絡部間にてタンパーエビデント裾部１２を実質上鉛直に軸線方向に延びるスリットから構成することができる。図示の実施形態においては、軸線方向破断ライン４２を構成するスリットは、タンパーエビデント裾部１２の上端から下方に薄肉カール４０の上端まで連続して延びているが、薄肉カール４０へは全く延出していない。所望ならば、スリットを薄肉カール４０内に部分的に延在せしめ、或いは薄肉カール４０の先端まで延在せしめることもできる。
【００１７】
図１を参照して説明を続けると、本発明に従って構成された容器蓋の図示の実施形態においては、スカート壁６の主部１０における上部に、更に詳しくは軸線方向において主部１０の内周面に形成されている環状突条３０と雌螺条２６との間の部分に、周方向に間隔をおいて周方向に延びる複数個（例えば８個）の切り込み４４が形成されている。かような切り込み４４は、スカート壁６の主部１０における所要部位を、外面から切断刃を作用せしめて貫通切断することによって形成されたものであることが重要である。
【００１８】
図２及び図３は、容器蓋２に上記切り込み４４を形成するための切断装置４６を簡略に図示している。この切断装置４６は回転搬送機構４８を具備している。図２に図示する如く、回転搬送機構４８は下側環状支持板５０と上側環状支持板５２とを含んでいる。下側環状支持板５０と上側回転支持板５２とは、鉛直に延びる共通中心軸線を中心として、図３に矢印５６で示す方向に回転駆動せしめられる。下側支持円板５０には周方向に等間隔をおいて複数個の回転支持具５４（図２にその１個のみを図示している）が配設されている。回転支持具５４の各々は、鉛直に延びる中心軸線を中心として回転自在に、下側環状支持板５０に装着されている。回転支持具５４の各々は平坦な円形支持面６０を有している。上側回転支持板５２には周方向に等間隔をおいて複数個の装着孔６２が形成されている。装着孔６２の各々は上記回転支持具５４の各々に整合して配置されており、鉛直に延びている。装着孔６２の各々には昇降ロッド６４が昇降動自在に装着されており、昇降ロッド６４の各々には回転軸６６が回転自在に装着されている。図３における二点鎖線６８は、下側環状支持板５０及び上側環状支持板５２が回転駆動せしめられる際に、回転支持具５４及び回転軸６６の中心線が描く軌跡を示している。回転軸６６の各々は内側工具７０を具備しており、この内側工具７０は比較的大径の円筒状上部７２、円筒状中間部７４及び比較的小径の円筒状下部７６を有している。
【００１９】
図２及び図３を参照して説明を続けると、回転搬送機構４８の外周に沿って２個の切断工具７８が固定されている。切断工具７８の各々は主部８０を有し、この主部８０には電気抵抗加熱器でよい加熱手段８２が内蔵されている。主部８０は弧状内周縁８４を有し、かかる内周縁８４には周方向に適宜の間隔をおいて突出する４個の切断刃８６が一体に形成されている。図４乃至図６を参照して説明すると、切断刃８６の各々は前縁８８、先端縁９０及び後縁９２を有し、平面図において全体として略三角形状乃至台形状である（先端縁９０を著しく短く或いは実質上皆無にせしめると略三角形状を呈し、先端縁を幾分か長くすると略台形状を呈する）。前縁８８は主部８０の内周縁８４に対して４５乃至５５度程度でよい傾斜角αをなして延び、先端縁９０は主部８０の内周縁８４と略平行に延び、後縁９２は主部８０の内周縁８４に対して８５乃至９５度程度でよい傾斜角βをなして延びている。傾斜角βを過小にせしめると、後述するとおりにして容器蓋２のスカート壁６を貫通切断して切り込み４４を形成する際に、切り込み４４の終端に外方に延びる所謂ひげが生成される傾向がある。前縁８８と後縁９２とがなす角度γは３５乃至４５度程度でよい。図５及び図６を参照することによって明確に理解されるとおり、切断刃８６の各々は、相互に平行に実質上水平に延在する平坦な上面（即ち片面）９６及び下面（即ち他面）９８と共に、前縁８８、先端縁９０及び後縁９２の各々において上面９６の周縁から下面９８に向かって内側に延びる傾斜面１００、１０２及び１０４を有する。切断刃８６の厚さ（上面９６と下面９８との間隔）ｔは０．３乃至０．７ｍｍ程度であるのが好ましい。傾斜面１００、１０２及び１０４の各々は、上面９６に対して１５乃至２５度程度であるのが好ましい傾斜角θをなして傾斜せしめられている。
【００２０】
上述したとおりの切断装置４６の作用について、主として図２及び図３を参照して説明すると、下側環状支持板５０及び上側環状支持板５２の矢印５６で示す回転方向に見て、２個の切断工具７８が配設されている切断域１０６よりも上流には容器蓋供給域１０８が配置されている。この容器蓋供給域１０８においては、適宜の供給手段（図示していない）によって、下側環状支持板５０に装着されている回転支持具５４の支持面６０上に、未だ切り込み４４が形成されていない容器蓋２が倒立状態、即ち図２に明確に図示する如くその天面壁４を下端にせしめてスカート壁６が天面壁４から上方に延びる状態、で供給される。次いで、容器蓋２が切断域１０６に向けて搬送される間に、上側環状支持板５２に装着されている昇降ロッド６４が漸次下降されて、回転軸６６に配設されている内側工具７０が容器蓋２内に挿入され、内側工具７０の下端が天面壁４の内面に当接せしめられる。図２を参照することによって理解される如く、内側工具７０の上部７２の外径及び中間部７４の外径は夫々容器蓋２のスカート壁６におけるタンパーエビデント裾部１２の内径及び主部１０に形成されている雌螺条２６のねじ山によって規定される内径と略同一に設定されている。内側工具７０の下部７６はスカート壁６の主部１０の上部における内径よりも幾分小さくせしめられており、スカート壁６の主部１０の上部（図２に図示する状態においては下部）と内側工具７０の下部との間には空間が存在する。回転軸６６は二点鎖線６８で示す軌跡に沿って搬送せしめられる際に、矢印１１０で示す方向に所要速度で自転せしめられ、これによって容器蓋２及び回転支持具５４も矢印１１０で示す方向に自転せしめられる。
【００２１】
容器蓋２が矢印１１０で示す方向に自転されながら矢印５６で示す方向に搬送されて切断域１０６を通る際には、図２及び図３を参照することによって明確に理解される如く、切断工具７８の切断刃８６が順次にスカート壁６の主部１０における上部に外面から、スカート壁６の主部１０に対して実質上垂直に突入して貫通切断し、かくして容器蓋２が切断域１０６を通過すると８個の切り込み４４が周方向に等間隔をおいて形成される。スカート壁６の主部１０の上部を所要とおりに安定して貫通切断せしめるためには、容器蓋２を形成している合成樹脂の軟化点以上、殊に融点以上に、加熱手段８２によって切断刃８６を加熱することが好ましい。容器蓋２の本体がポリプロピレンから形成されている場合には、切断刃８６を例えば１８０℃程度に加熱すればよい。
【００２２】
上述したとおりの切断装置４６においては、スカート壁６の外面から切断刃８６を作用せしめて貫通切断することによって形成され、そしてまた切断刃８６はその下面９８を天面壁４側に位置せしめて、従って切断刃８６の傾斜面１００、１０２及び１０４は天面壁４から離隔する方向（即ちスカート壁６の下端に向かう方向）に向かって漸次突出する状態でスカート壁６に作用せしめられる。それ故に、図７に明確に図示する如く、容器蓋２の正立状態において、切り込み４４の各々においては、その下側に対してその上側が半径方向内側に幾分押し込まれた状態が生成される。
【００２３】
切り込み４４が形成された容器蓋２が切断域１０６の下流に配設されている容器蓋排出域１１２に向けて搬送される際には、昇降ロッド６４が漸次上昇されて、回転軸６６に配設されている内側工具７０が容器蓋２から上方に引き出される。そして、容器蓋排出域１１２においては、適宜の排出手段（図示していない）によって、下側環状支持板５０に装着されている回転支持具５４の支持面６０上から容器蓋２が所要場所に向けて排出される。
【００２４】
図８には容器の口頸部１１４に容器蓋２を所要とおりに装着した状態が図示されている。ガラス又はポリエチレンテレフタレートの如き適宜の合成樹脂から形成することができる容器の口頸部１１４は、全体として円筒形状であり、その外周面には雄螺条１１６とこの雄螺条１１６の下方に位置する環状係止あご部１１８とが形成されている。清涼飲料の如き適宜の内容物を容器に充填した後に、口頸部１１４に容器蓋２が装着される。この際には、口頸部１１４に容器蓋２が被嵌され、容器蓋２が閉回転方向、即ち図８において上方から見て時計方向に回転され、かくして容器蓋２における雌螺条２６が口頸部１１４の雄螺条１１６に螺合せしめられ、容器蓋２は回転に応じて下降せしめられる。容器蓋２のタンパーエビデント裾部１２に形成されているフラップ片３６は、弾性的に変形せしめられて口頸部１１４の係止あご部１１８を通過し、しかる後に弾性的に復元して係止あご部１１８に係止せしめられる。フラップ片３６が係止あご部１１８を通過する際には、タンパーエビデント裾部１２には半径方向外向きの力が作用し、かかる力に起因してタンパーエビデント裾部１２における軸線方向破断ライン４２を構成するスリットが拡張されんとするが、上述したとおりスリットの両側には高強度橋絡部（図示していない）が配置されており、かかる高強度橋絡部の保持作用によってスリットの望ましくない拡張は充分に防止される。容器蓋２における天面壁４の内面に配設されている密封ライナー３２は口頸部１１４の頂面部に密接せしめられ、これによって口頸部１１４が密封される。
【００２５】
容器蓋２のスカート壁６の上部には周方向に間隔をおいて８個の切り込み４４が形成されているが、上述したとおり切り込み４４はスカート壁６の所要部位を切断刃８６によって貫通切断せしめることによって形成される故に、射出成形或いは圧縮成形によって形成されるスリット等と比べて著しく細くせしめることができる。従って、切り込み４４に埃が堆積する或いは切り込み４４を通って埃が容器の口頸部１１４の外周面に侵入することは充分に防止乃至抑制される。また、切り込み４４は視覚的に認識され難く、切り込み４４の存在に起因して容器蓋２の外観が大幅に損なわれることもない。一方、切り込み４４は著しく細いものであるが、図７に明確に図示する如く、切り込み４４の各々においてはその下側に対してその上側が半径方向内側に幾分押し込まれた状態が生成されている。それ故に、容器の口頸部１１４に容器蓋２を装着した後に、例えば容器蓋２の切り込み４４が形成されている部位に向けて斜め上方から水の如き適宜の洗浄液体を散布すると、かかる液体は充分確実に切り込み４４を透過して口頸部１１４の外周面に至り、それ故に口頸部１１４の外周面を充分良好に洗浄することができる。
【００２６】
容器の口頸部１１４を開封する際には、容器蓋１を開回転方向、即ち図８において上方から見て反時計方向に回転せしめる。かくすると、容器蓋２におけるスカート壁６の主部１０に形成されている雌螺条２６が容器の口頸部１１４に形成されている雄螺条１１６に沿って移動せしめられる故に、容器蓋２は回転と共に上昇せしめられる。然るに、容器蓋２のタンパーエビデント裾部１２は、その内周面に形成されているフラップ片３６が口頸部１１４の係止あご部１１８に係止せしめられているので、上方への移動が阻止される。従って、スカート壁６に配設されている周方向破断ライン８における橋絡部１４に相当な応力が生成され、かかる応力に起因して通常は全ての橋絡部１４（即ち、横断面積が比較的小さい橋絡部と共に横断面積が比較的大きい２個の高強度橋絡部）が破断される。また、タンパーエビデント裾部１２に付設されている薄肉カール４０も、肉厚が著しく薄い故に、タンパーエビデント裾部１２に形成されているスリット（軸線方向破断ライン４２を構成している）の延長線に沿って破断されることが少なくない。しかる後においては、タンパーエビデント裾部１２を口頸部１１４に残留せしめて、容器蓋２のその他の部分が回転と共に上昇せしめられて口頸部１１４から離脱される。かような開封操作の途中にて、容器蓋２が幾分か上昇されて密封ライナー３２が口頸部１１４の頂面部から離隔せしめられた際には、口頸部１１４の頂面と密封ライナー３２との間と共に容器蓋２の雌螺条２６に形成されている切欠２８（図１）を通して口頸部１１４内が外部に連通せしめられる。口頸部１１４に残留せしめられたタンパーエビデント裾部１２は、薄肉カール４０がスリットの延長線に沿って破断されていない場合にはこれを破断して、必要に応じて充分容易に口頸部１１４から離脱せしめることができる。
【００２７】
図９乃至図１１は、切断刃８６の変形例を図示している。かかる切断刃８６も前縁８８、先端縁９０及び後縁９２を有し、平面図において全体として略三角形状乃至台形状である。前縁８８は主部８０の内周縁８４に対して４５乃至５５度程度でよい傾斜角αをなして延び、先端縁９０は略円弧状に延び、後縁９２は主部８０の内周縁８４に対して８５乃至９５度程度でよい傾斜角βをなして延びている。前縁８８と後縁９２とがなす角度γは３５乃至４５度程度でよい。切断刃８６は、相互に平行に実質上水平に延在する平坦な上面（即ち片面）９６及び下面（即ち他面）９８と共に、前縁８８、先端縁９０及び後縁９２の各々において、上面９６の周縁から下面９８に向かって外方に延びる片側傾斜面９５、９７及び９９、並びに下面９８の周縁から上面に向かって外方に延びる他側傾斜面１０１、１０３及び１０５を有する。切断刃８６の前縁８８、先端縁９０及び後縁９２は、夫々、片側傾斜面９５、９７及び９９と他側傾斜面１０１、１０３及び１０５との交差縁によって規定されている。切断刃８６の厚さ（上面９６と下面９８との間隔）ｔは０．１乃至０．５ｍｍ程度でよい。片側傾斜面９５、９７及び９９の各々は上面９６に対して５乃至１５度程度であるのが好ましい傾斜角θをなして傾斜せしめられており、他側傾斜面１０１、１０３及び１０５の各々は下面９８に対して５乃至１５度であるのが好ましい傾斜角度θをなして傾斜せしめられている。
【００２８】
図４乃至図６に図示するとおりの切断刃８６に代えて、図９乃至図１１に図示するとおりの切断刃８６を使用して、容器蓋２におけるスカート壁６の主部１０に切り込み４４を形成する場合には、図１２に明確に図示する如く、切り込み４４は水平方向中心線に関して略対称な形態をなす（換言すれば、その下側に対してその上側が半径方向内側に幾分押し込まれた状態が生成されることはない）。それ故に、図７と図１２を比較することによって理解されるとおり、切り込み４４は視覚的により一層認識され難いものにせしめることができる。切り込み４４をより一層視覚的に認識され難いものにせしめるためには、切断刃８６の厚さｔをできるだけ薄くすればよい。
【００３１】
【発明の効果】
本発明に従って構成された合成樹脂製容器蓋においては、容器蓋に向けて散布された洗浄液体は充分確実に切り込みを透過して容器の口頸部に至るが、切り込みに埃が堆積し或いは埃が切り込みを透過して容器の口頸部に至ることは効果的に防止乃至抑制される。
【００３２】
また、本発明に従って構成された合成樹脂製容器蓋においては、洗浄液体を透過せしめるための切り込みは視覚的に認識され難く、それ故に切り込みによって外観が損なわれることはない。
【００３３】
更に、本発明に従って構成された方法によれば、合成樹脂製容器蓋の所要部位に切り込みを形成し、上述したとおりの格別の効果を奏する合成樹脂製容器蓋を充分容易に製作することができる。
【図面の簡単な説明】
【図１】  本発明に従って構成された合成樹脂製容器蓋の好適実施形態を、一部を断面で示す正面図。
【図２】  容器蓋のスカート壁を貫通切断して切り込みを形成するための切断装置を示す部分断面図。
【図３】  図２の切断装置の簡略部分平面図。
【図４】  図２の切断装置における切断刃を示す斜面図。
【図５】  図４の線Ａ−Ａにおける断面図。
【図６】  図４の線Ｂ−Ｂにおける断面図。
【図７】  図１に容器蓋に形成されている切り込みを示す拡大部分断面図。
【図８】  図１の容器蓋を容器の口頸部に被嵌した状態を、一部を断面で示す正面図。
【図９】  切断刃の変形例を示す斜面図。
【図１０】  図９の線Ａ−Ａにおける断面図。
【図１１】  図９の線Ｂ−Ｂにおける断面図。
【図１２】  図９乃至図１１の切断刃を使用して形成した切り込みを示す拡大部分断面図。
で示す正面図。
【図１３】  本発明に従って構成された合成樹脂製容器蓋の変形実施態様を、一部を断面で示す正面図。
【図１４】  図１３の容器蓋の平面図。
【図１５】  本発明に従って構成された合成樹脂製容器蓋の他の変形実施態様を、一部を断面で示す正面図。
【図１６】  図１５の容器蓋の平面図。
【符号の説明】
２：容器蓋
４：天面壁
６：スカート壁
８：周方向破断ライン
１０：スカート壁の主部
１２：タンパーエビデント裾部
３２：密封ライナー
３６：フラップ片
４０：薄肉カール
４２：軸線方向破断ライン
４４：切り込み
４６：切断装置
４８：回転搬送機構
５４：回転支持具
６６：回転軸
７０：内側工具
７８：切断工具
８２：加熱手段
８６：切断刃
８８：切断刃の前縁
９０：切断刃の先端縁
９２：切断刃の後縁
９５：切断刃の片端傾斜面
９６：切断刃の上面（片面）
９７：切断刃の片端傾斜面
９８：切断刃の下面（他面）
９９：切断刃の片側傾斜面
１００：切断刃の傾斜面
１０１：切断刃の他側傾斜面
１０２：切断刃の傾斜面
１０３：切断刃の他側傾斜面
１０４：切断刃の傾斜面
１０５：切断刃の他側傾斜面
１０６：切断域
１１４：容器の口頸部
１１６：雄螺条
１１８：係止あご部
【図１】
0003967445.tif 000002
【図２】
0003967445.tif 000003
【図３】
0003967445.tif 000004
【図４】
0003967445.tif 000005
【図５】
0003967445.tif 000006
【図６】
0003967445.tif 000007
【図７】
0003967445.tif 000008
【図８】
0003967445.tif 000009
【図９】
0003967445.tif 000010
【図１０】
0003967445.tif 000011
【図１１】
0003967445.tif 000012
【図１２】
0003967445.tif 000013
【図１３】
0003967445.tif 000014
【図１４】
0003967445.tif 000015
【図１５】
0003967445.tif 000016
【図１６】
0003967445.tif 000017